(57)【特許請求の範囲】
【請求項１】
原紙シートが巻き取られた複数の原反ロールのそれぞれから前記原紙シートを繰り出し、当該複数の原紙シートをプライ手段により重ね合わせて積層シートを形成し、当該積層シートを巻き取って、巻取ロールを形成する工程を含み、
前記プライ手段までの前記原紙シートの繰り出し長さが相対的に長い前記原反ロールから前記原紙シートを繰り出す繰出速度を、前記プライ手段までの前記原紙シートの繰り出し長さが相対的に短い前記原反ロールから前記原紙シートを繰り出す繰出速度よりも遅くすることを特徴とする衛生薄葉紙の製造方法。
【請求項２】
前記原反ロールから前記プライ手段までの前記原紙シートの繰り出し長さに応じて、前記繰出速度を調整することを特徴とする請求項１に記載の衛生薄葉紙の製造方法。
【請求項３】
前記プライ手段の下流かつ前記巻取ロールの上流において、前記積層シートにカレンダー処理を施すことを特徴とする請求項１または２に記載の衛生薄葉紙の製造方法。
【請求項４】
前記カレンダー処理の処理速度と前記積層シートの巻取速度との間の速度差を、前記繰出速度と前記処理速度との間の速度差よりも小さくすることを特徴とする請求項３に記載の衛生薄葉紙の製造方法。
【発明の詳細な説明】
【技術分野】
【０００１】
本発明は、衛生薄葉紙の製造方法に関し、特には、原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する工程を含む衛生薄葉紙の製造方法に関する。
【背景技術】
【０００２】
ティシュペーパーやトイレットペーパー等の衛生薄葉紙の製造には、原紙シートが巻き取られた原反ロールが用いられる。原反ロールから繰り出された原紙シートは、プライ手段により重ね合わされて積層シートを形成する。そして、当該積層シートは、カレンダー処理、スリット加工等の、必要に応じた加工や処理が施されつつ、再びロール状に巻き取られる。これにより得られた巻取ロールは、次いで、当該積層シートに対して、カレンダー処理、スリット加工、エンボス加工、ミシン目加工、ログ形成加工、折り畳み加工、裁断等の、必要に応じた加工または処理を施す工程に供されて、衛生薄葉紙製品が得られる。
【０００３】
例えば特許文献１は、ティシュペーパーの製造に関し、原紙シートが巻き取られた２本の原反ロールをプライ機（積層機）に搭載し、２本の原反ロールのそれぞれから原紙シートを繰り出し、繰り出された計２枚の原紙シートを、当該２枚の原紙シートをプライ手段としてのローラ（以下、「重合ローラ」と記す）に巻き掛けることにより重ね合わせて積層シートを形成し、当該積層シートを巻き取って、２プライの巻取ロールを形成する工程を開示している。この巻取ロールから、必要に応じた後続の工程を経て、２プライのティシュペーパーの製品が製造される。
【０００４】
ところで、２本の原反ロールのそれぞれから原紙シートを繰り出し、当該複数の原紙シートを重合ローラに巻き掛けることにより重ね合わせて積層シートを形成し、当該積層シートを巻き取って巻取ロールを形成する際に、原紙シートや積層シートに過大な張力が生じたり、原紙シートや積層シートが弛んだりすると、紙切れや紙の皺寄りの原因となる。このような不都合が生じないように、一般に、原反ロールと巻取ロールとの間で原紙シートや積層シートの張力の調整（「ドロー調整」とも称される）が行われる。原反ロールと巻取ロールとの間での原紙シートや積層シートのドロー調整は、概して、原反ロールと巻取ロールとの間での原紙シートや積層シートの速度差を一定にする調整をもって行われている。
【先行技術文献】
【特許文献】
【０００５】
【特許文献１】特開２０１９−１９３７１３号明細書
【発明の概要】
【発明が解決しようとする課題】
【０００６】
しかしながら、特許文献１に開示されるように、複数プライの衛生薄葉紙の製造においては、１つの巻取ロールを製造するために複数の原反ロールが用いられる。
【０００７】
複数の原反ロールが用いられる構成において、各原反ロールから重合ローラまでの原紙シートの通紙経路はそれぞれ異なり、各原反ロールから重合ローラまでの原紙シートの繰り出し長さは、原反ロール毎に異なったものとなる。そして、原反ロールから重合ローラまでの原紙シートの繰り出し長さが長い程、原紙シート自体の質量による荷重の影響が大きくなり、概して、原反ロールと重合ローラとの間における原紙シートの伸び量は大きくなる。
【０００８】
そのため、原紙シートや積層シートの速度差を一定に調整することによるドロー調整を、複数の原反ロールに関して一律の条件で行うと、原反ロールから重合ローラまでの繰り出し長さが長く原紙シートの伸び量が相対的に大きい原反ロールと重合ローラとの間において、原紙シートに弛みが生ずるという問題がある。
【０００９】
本発明は、原反ロールから重合ローラ等のプライ手段までの原紙シートの繰り出し長さの相違にかかわらず、原反ロールとプライ手段との間における原紙シートの弛みを防止できる衛生薄葉紙の製造方法を提供することを目的とする。
【課題を解決するための手段】
【００１０】
上記の課題を解決するために鋭意検討を行った結果、本発明者らは、原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する工程を含む衛生薄葉紙の製造方法において、原反ロールからプライ手段までの原紙シートの繰り出し長さが長い程、原反ロールから原紙シートを繰り出す繰出速度を遅くすることにより、上記課題を解決し得ることを見出した。
【００１１】
具体的には、本発明は、以下の構成を有する。
［１］  原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する工程を含み、
プライ手段までの原紙シートの繰り出し長さが相対的に長い原反ロールから原紙シートを繰り出す繰出速度を、プライ手段までの原紙シートの繰り出し長さが相対的に短い原反ロールから原紙シートを繰り出す繰出速度よりも遅くする、衛生薄葉紙の製造方法。
［２］  原反ロールからプライ手段までの原紙シートの繰り出し長さに応じて、繰出速度を調整することを特徴とする［１］に記載の衛生薄葉紙の製造方法。
［３］  プライ手段の下流かつ巻取ロールの上流において、積層シートに対してカレンダー処理を施すことを特徴とする［１］または［２］に記載の衛生薄葉紙の製造方法。
［４］  カレンダー処理の処理速度と積層シートの巻取速度との間の速度差を、原紙シートの繰出速度とカレンダー処理の処理速度との間の速度差よりも小さくすることを特徴とする［３］に記載の衛生薄葉紙の製造方法。
【発明の効果】
【００１２】
本発明の衛生薄葉紙の製造方法は、原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する工程において、原反ロールからプライ手段までの原紙シートの繰り出し長さが長い程、原反ロールから原紙シートを繰り出す繰出速度を遅くするものである。
【００１３】
これによると、原反ロールからプライ手段までの原紙シートの繰り出し長さが長い程、原紙シートの原反ロールからの繰出速度が遅くなる。その結果、原反ロールからプライ手段までの原紙シートの繰り出し長さが相対的に長い原反ロールに関して、原反ロールとプライ手段との間における原紙シートの伸びに起因し得る原紙シートの張力の低下を防ぐことができる。
【００１４】
したがって、本発明によれば、原反ロールからプライ手段までの原紙シートの繰り出し長さの相違にかかわらず、原反ロールとプライ手段との間における原紙シートの弛みを防止することができる。
【図面の簡単な説明】
【００１５】
【図１】本発明を適用可能なプライ機の例を示す模式図である。
【発明を実施するための形態】
【００１６】
本発明は、２以上の複数の原紙シートが積層された複数プライの衛生薄葉紙の製造に適用可能である。以下、本発明の実施形態を、図面を参照しながら説明する。以下の実施形態および図面は例示の目的で記載したものであり、本発明を限定するものではない。
【００１７】
（第１の実施形態）
（衛生薄葉紙の製造方法）
本発明の第１の実施形態に係る衛生薄葉紙の製造方法は、原紙シートがロール状に巻かれた複数の原反ロールのそれぞれから原紙シートを繰り出し、複数の原紙シートをプライ手段により重ね合わせて積層シートを形成し、当該積層シートをロール状に巻き取って巻取ロールを形成する工程を含む。
【００１８】
形成された巻取ロールは、必要に応じた後続の工程、例えば、スリッター加工、エンボス加工、ミシン目加工、カレンダー処理、リワインド（ログ形成）、折り畳み、裁断等の工程に供され、重ね合わされた積層シートに対する加工や処理が行われて、衛生薄葉紙の製品が得られる。
【００１９】
（原反ロール）
本実施形態に適用可能な原反ロールは、当技術分野において知られている製紙技術により製造することができる。例えば、原反ロールは、抄紙機を用いて原紙シートを形成しつつ、形成された原紙シートを巻芯に巻き取る工程によって得ることができる。抄紙機には、ツインワイヤフォーマ方式、円網フォーマ方式、サクションプレストフォーマ方式、クレセントフォーマ方式等の知られている抄紙機が用いられてもよい。
【００２０】
（原紙シート）
原紙シートは、繊維原料であるパルプ成分を含むスラリーを抄紙することによって得られる。
【００２１】
（パルプ成分）
パルプ成分としては、木材パルプ、非木材パルプ、脱墨パルプを挙げることができる。木材パルプとしては例えば、広葉樹パルプ（広葉樹クラフトパルプ（ＬＫＰ））、針葉樹パルプ（針葉樹クラフトパルプ（ＮＫＰ））、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）等の化学パルプ等が挙げられる。また、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプが挙げられるが、特に限定されない。非木材パルプとしてはコットンリンターやコットンリント等の綿系パルプ、麻、麦わら、バガス等の非木材系パルプ、ホヤや海草等から単離されるセルロース、キチン、キトサン等が挙げられるが、特に限定されない。脱墨パルプとしては古紙を原料とする脱墨パルプが挙げられるが、特に限定されない。パルプ成分は上記の１種を単独で用いてもよいし、２種以上混合して用いてもよい。これらパルプ成分は衛生用紙の品質に大きく影響するので、要求品質に合わせて所定の種類および配合割合で適宜配合される。
【００２２】
（任意成分）
原紙シートには、要求品質および操業の安定のために、任意成分として様々な薬品が添加されていてもよい。任意成分としては、例えば、乾燥紙力剤、湿潤紙力剤、柔軟剤、嵩高剤、染料、香料、分散剤、濾水向上剤、ピッチコントロール剤、歩留向上剤等を挙げることができる。乾燥紙力剤としては、例えば、カチオン化澱粉、ポリアクリルアミド（ＰＡＭ）、カルボキシメチルセルロース（ＣＭＣ）等を挙げることができる。湿潤紙力剤としては、ポリアミドエピクロロヒドリン、尿素、メラミン、熱架橋性ポリアクリルアミド等を挙げることができる。柔軟剤としては、例えば、アニオン系界面活性剤、ノニオン系界面活性剤、カチオン系界面活性剤等を挙げることができる。上記の任意成分は１種単独で用いてもよく、２種以上を併用してもよい。
【００２３】
（坪量）
原紙シートの坪量は、要求品質に合わせて、例えば、７〜３０ｇ／ｍ2とすることができる。例えば、原紙シートの坪量は、好ましくは９ｇ／ｍ2以上とすることができ、および好ましくは１９ｇ／ｍ2以下とすることができる。坪量は、日本工業規格ＪＩＳ  Ｐ８１２４の規定に従って測定される。
【００２４】
（巻取ロール）
本実施形態において、巻取ロールは、複数の原反ロールのそれぞれに巻き取られている原紙シートを繰り出し、それぞれの原紙シートを重ね合わせて積層シートを形成し、当該積層シートをロール状に巻き取ることにより形成される。本実施形態において、複数の原反ロールの原紙シートの材質は、製造工程および／または最終製品の要求品質等に応じて同一であっても異なるものであってもよく、必ずしも全ての原反ロールの原紙シートの材質が同一である必要はない。巻取ロールは、例えば、プライ機または加工ワインダのような、当技術分野において知られている装置を用いて形成され得る。
【００２５】
［プライ機］
図１は、本実施形態を適用可能なプライ機の例を示す模式図である。図１を参照して、本実施形態に係る、原反ロールから巻取ロールを形成する工程を説明する。図１に示す例では、原紙シート２枚を積層した２プライの巻取ロールを形成する。しかしながら、積層される原紙シートの枚数はこれに限定されず、本実施形態は、２以上の複数の原紙シートを積層する巻取ロールの形成に適用可能である。
【００２６】
図１を参照して、プライ機１に搭載された２本の原反ロール３６（３６ａ、３６ｂ）のそれぞれから原紙シート３１（３１ａ、３１ｂ）が繰り出される。繰り出された原紙シート３１（３１ａ、３１ｂ）は、プライ手段５１によって積層される。プライ手段５１としては、原紙シート３１（３１ａ、３１ｂ）が巻き掛けられる単一の重合ローラやガイド部材、または原紙シート３１（３１ａ、３１ｂ）を挟持搬送する一対のローラ等が適用可能である。積層された原紙シート（以下、「積層シート」という）５２は、必要に応じて、例えばカレンダーロール対（トップロール５３およびボトムロール５４）によって挟持されて押圧されることによるカレンダー処理が施され、また、スリッターパート５５によって所定の幅に切断されつつ、リールドラム５６によって案内されて、巻芯上にロール化される。これにより、積層シート５２がロール状に巻き取られた巻取ロール５８が得られる。
【００２７】
（ドロー調整）
巻取ロール５８を形成する工程において、原紙シート３１や積層シート５２の断紙や皺寄りを防止するために、原反ロール３６と巻取ロール５８との間で原紙シート３１や積層シート５２のドロー調整が行われる。原反ロール３６と巻取ロール５８との間の原紙シート３１や積層シート５２のドロー調整は、主として、原反ロール３６（３６ａ、３６ｂ）から原紙シート３１を繰り出すための原紙シート３１の繰出速度Ｖｕ（Ｖｕａ、Ｖｕｂ）と、積層シート５２を巻取ロール５８に巻き取るための積層シート５２の巻取速度Ｖｗと、の間の速度差の制御によって行われる。
【００２８】
原紙シート３１や積層シート５２のドロー調整のための速度差の制御は、積層シート５２の巻取速度Ｖｗ÷原紙シート３１の繰出速度Ｖｕ×１００（％）が、１００％以上１１０％以下となるようにすることが好ましく、１０１％以上１０８％以下となるようにすることがより好ましい。原紙シート３１の繰出速度Ｖｕと積層シート５２の巻取速度Ｖｗとの速度差を、上記関係を満たす範囲内とすることにより、巻取ロール５８を形成する工程において、原紙シート３１や積層シート５２に適度な張力を掛けることができる。原紙シート３１の繰出速度Ｖｕと積層シート５２の巻取速度Ｖｗとの速度差が１００％未満であると、原紙シート３１や積層シート５２に十分な張力を掛けることができず、原紙シート３１や積層シート５２の弛みや皺寄りに繋がる。原紙シート３１の繰出速度Ｖｕと積層シート５２の巻取速度Ｖｗとの速度差が１１０％を超えると、原紙シート３１や積層シート５２に過剰な張力が掛かり、断紙が生じやすくなる。
【００２９】
原紙シート３１の繰出速度Ｖｕおよび積層シート５２の巻取速度Ｖｗは、知られている任意の方法によって調整することができる。原紙シート３１の繰出速度Ｖｕは、例えば、原反ロール３６の巻芯に通されたシャフトを回転駆動可能な駆動部（不図示）による回転数の制御によって調整することができる。あるいはまた、原反ロール３６の外周に当接して原反ロール３６を回転駆動する回転駆動ベルト（不図示）の回転駆動速度の制御によって原紙シート３１の繰出速度Ｖｕを調整することができる。また、積層シート５２の巻取速度Ｖｗは、例えば、巻取ロール５８の巻芯に通されたシャフトを回転駆動可能な駆動部（不図示）による回転数の制御によって調整することができる。あるいはまた、例えば、巻取ロール５８を外側から支持する複数の駆動ロールの駆動による、いわゆるサーフェイス方式の巻き取りを行う場合は、積層シート５２の巻取速度Ｖｗは、複数の駆動ロールの駆動速度の制御によって調整することができる（不図示）。
【００３０】
図１を参照して、本実施形態による、原反ロール３６（３６ａ、３６ｂ）と巻取ロール５８との間の原紙シート３１や積層シート５２の速度差の調整による原紙シート３１や積層シート５２のドロー調整について詳述する。
【００３１】
２つの原反ロール３６（３６ａ、３６ｂ）に関して、繰り出された原紙シート３１が巻き取られる巻取ロール５８は共通であり、したがって、その巻取速度Ｖｗも共通である。
【００３２】
一方、図１に示される例において、原反ロール３６ｂから重合ローラ（プライ手段）５１までの原紙シート３１ｂの繰り出し長さは、原反ロール３６ａから重合ローラ５１までの原紙シート３１ａの繰り出し長さよりも長い。そのため、原反ロール３６から重合ローラ５１までの原紙シート３１の繰り出し長さ（以下、単に「原紙シートの繰り出し長さ」または「繰り出し長さ」ともいう）が相対的に長い原反ロール３６ｂと重合ローラ５１との間において、繰り出し長さが相対的に短い原反ロール３６ａと重合ローラ５１との間よりも、繰り出された原紙シート３１自体の質量による荷重の影響が大きく働くこととなる。
【００３３】
これにより、繰り出し長さが相対的に長い原反ロール３６ｂから繰り出された原紙シート３１ｂは、繰り出し長さが相対的に短い原反ロール３６ａから繰り出された原紙シート３１ａと比べて、概して、原紙シート３１の長手方向（すなわちＭＤ方向）における伸び量が大きくなる。そのため、原反ロール３６ａからの繰出速度Ｖｕａと原反ロール３６ｂからの繰出速度Ｖｕｂとを同一条件とした場合に、繰り出し長さが相対的に長い原反ロール３６ｂから繰り出された原紙シート３１ｂは、繰り出し長さが相対的に短い原反ロール３６ａから繰り出された原紙シート３１ａと比べて、弛みや皺が生じやすくなる。
【００３４】
この課題に対し、本実施形態では、繰り出し長さの違いに起因し得る原紙シート３１の伸び量の大きさの影響を低減させるために、複数の原反ロール３６のそれぞれからの原紙シート３１の繰出速度Ｖｕ、すなわち、原反ロール３６ａからの原紙シート３１ａの繰出速度Ｖｕａと、原反ロール３６ｂからの原紙シート３１ｂの繰出速度Ｖｕｂと、を異ならせるものである。具体的には、本実施形態では、原反ロール３６から重合ローラ５１までの原紙シート３１の繰り出し長さが長い程、原反ロール３６からの原紙シート３１の繰出速度Ｖｕが遅くなるように制御する。
【００３５】
例えば、原紙シート３１の繰り出し長さとして、単純に、原反ロール３６と重合ローラ５１との間の距離を比較し、これが長い程、原紙シート３１の繰出速度Ｖｕが遅くなるように制御してもよい。例えば、原反ロール３６と重合ローラ５１との間の距離は、それぞれの回転軸間の距離であってもよい。
あるいはまた、例えば、原紙シート３１の繰り出し長さとして、原反ロール３６から繰り出された原紙シート３１の重合ローラ５１までの通紙経路の長さを比較し、これが長い程、原紙シート３１の繰出速度Ｖｕが遅くなるように制御してもよい。
【００３６】
上述のように、原紙シート３１や積層シート５２の紙切れや紙の皺寄りを防止するために、原紙シート３１の原反ロール３６からの繰出速度Ｖｕおよび積層シート５２の巻取速度Ｖｗは、巻取速度Ｖｗ÷繰出速度Ｖｕ×１００（％）が、１００％以上１１０％以下となるようにすることが好ましく、１０１％以上１０８％以下となるようにすることがより好ましい。
【００３７】
（作用効果）
本実施形態によれば、原反ロール３６から重合ローラ５１までの原紙シート３１の繰り出し長さが長い程、原紙シート３１の原反ロール３６からの繰出速度が遅くなる。その結果、原反ロール３６から重合ローラ５１までの原紙シート３１の繰り出し長さが相対的に長い原反ロール３６ｂに関して、原反ロール３６ｂと重合ローラ５１との間における原紙シート３１ｂの伸びに起因し得る原紙シート３１ｂの張力の低下を防ぐことができる。
【００３８】
したがって、本実施形態によれば、原反ロール３６から重合ローラ５１までの原紙シート３１の繰り出し長さの相違にかかわらず、原反ロール３６と重合ローラ５１との間における原紙シート３１の弛みを防止することができる。
【００３９】
本実施形態によれば、原紙シート３１の断紙や皺寄りが抑制されたドロー調整を、簡便に行うことができる。
【００４０】
（第２の実施形態）
次に、本発明の第２の実施形態について説明する。特段の記載のない限り、第１の実施形態に適用可能な構成は、本実施形態に適用可能である。
【００４１】
先述の第１の実施形態は、原反ロールから重合ローラ（プライ手段）までの原紙シートの繰り出し長さが長い程、原反ロールから原紙シートを繰り出す繰出速度を遅くするものであった。これに対して第２の実施形態は、第１の実施形態の構成において、さらに、原反ロールから重合ローラ（プライ手段）までの原紙シートの繰り出し長さに応じて、原紙シートの繰出速度を調整するものである。
【００４２】
例えば、原紙シート３１の繰り出し長さとして、原反ロール３６から繰り出された原紙シート３１の重合ローラ５１までの通紙経路の長さを用い、この長さに応じて、原紙シート３１の繰出速度Ｖｕを調整してもよい。このとき、原反ロール３６の巻取径の変化の影響を勘案してもよい。
【００４３】
また、上述のように、原反ロール３６から重合ローラ５１までの原紙シート３１の繰り出し長さが長い程、原紙シート自体の質量による荷重の影響が大きくなり、概して、原反ロール３６と重合ローラ５１との間における原紙シート３１の伸び量は大きくなる。そのため、原紙シート３１の繰り出し長さに応じた原紙シート３１の繰出速度の調整を、原紙シート３１の伸び量の大きさに基づいて行ってもよい。例えば、原反ロール３６から繰り出された原紙シート３１上の１点が重合ローラ５１に達するまでの想定時間と実測時間とのずれから、原紙シート３１の伸び量を把握することができる。
【００４４】
（作用効果）
本実施形態の製造方法によれば、上述した第１の実施形態の発明の効果と同様の発明の効果に加えて、さらに以下のような発明の効果を奏し得る。
【００４５】
すなわち、本実施形態では、各原反ロールから重合ローラ（プライ手段）までの原紙シートの繰り出し長さに応じて、原紙シートの繰出速度の調整を行うものである。これによれば、より実態に即した精度の高い速度制御が可能となり、原反ロールから重合ローラ（プライ手段）までの原紙シートの繰り出し長さが相対的に大きい原反ロールにおいて、原紙シートの原反ロールからの繰出速度が必要以上に遅くなるのを防止することができる。そのため、各原反ロールと重合ローラ（プライ手段）との間で、不要な大きさの張力が働きにくく、不用意な断紙が生じることがなくなる。
【００４６】
（第３の実施形態）
次に、本発明の第３の実施形態について説明する。特段の記載のない限り、上述の実施形態に適用可能な構成は、本実施形態に適用可能である。
【００４７】
第３の実施形態は、原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する巻取ロール形成工程において、プライ手段の下流かつ巻取ロールの上流で、積層シートに対してカレンダー処理を施すものである。カレンダー処理は、要求品質に応じた紙厚の調整、表面の平滑化、手触り改善等の目的で行われる。
【００４８】
（カレンダー処理）
図１を参照して、本実施形態によるカレンダー処理を説明する。
【００４９】
図１に示されるプライ機１において、原反ロール３６から原紙シート３１を繰り出して巻取ロール５８に巻き取るまでの間のうち、プライ手段としての重合ローラ５１の下流かつ巻取ロール５８の上流に位置するカレンダー処理部において、積層シート５２、すなわち重ね合わされた状態の原紙シート３１に対して、カレンダー処理が施される。
【００５０】
図１に示されるプライ機１において、カレンダー処理部は、トップロール５３とボトムロール５４とからなる１対のカレンダーロール対を含む１台のカレンダー装置を備える。カレンダー処理は、トップロール５３とボトムロール５４との間に通される積層シート５２を、両ロール５３、５４で挟持しおよび押圧することによって行われる。このとき、トップロール５３およびボトムロール５４は、カレンダーロール対の間に通される積層シート５２の速度に応じて、カレンダーロールを回転駆動可能な駆動部（不図示）によって、回転駆動させられる。本明細書において、以下、この速度を、「カレンダー処理速度」Ｖｃとも称するものとする。そして、カレンダー処理速度は、カレンダーロールの回転速度を制御することによって調整可能である。
【００５１】
カレンダーの種別は、特に限定されない。トップロール５３およびボトムロール５４は、共に金属ロールであってもよく、また、２本のロールのうち１本を弾性ロールとし、ソフトカレンダー処理を行えるようにしてもよい。
【００５２】
カレンダーの線圧は、３．０〜１０．５ｋｇ／ｃｍとすることが好ましく、４．０〜１０．０ｋｇ／ｃｍとすることがより好ましい。線圧が上記範囲を超えると、カレンダー後の原紙シートの積層体５２の嵩が小さくなり、柔らかさが劣ることがある。また、線厚が上記範囲未満であると、嵩が大きくなり、巻取ロール５８の巻直径が大きくなる。
【００５３】
カレンダー処理後の巻取ロール５８における積層シート５２を構成する原紙シート３１の紙厚を、好ましくは０．６０〜１．４０ｍｍ／１０枚、より好ましくは０．６０〜１．２０ｍｍ／１０枚とする。また、カレンダー処理後の巻取ロール５８における積層シート５２の比容積を、好ましくは３．０〜１０．０ｃｍ3／ｇ、より好ましくは３．４〜８．５ｃｍ3／ｇとする。さらに、カレンダー処理前後の積層シート５２を構成する原紙シート３１の紙厚の差（カレンダー処理前の紙厚からカレンダー処理後の紙厚を引いた値）を好ましくは０．１０〜０．６０ｍｍ／１０枚、より好ましくは０．１５〜０．５５ｍｍ／１０枚とする。カレンダー処理前後の積層シート５２を構成する原紙シート３１の紙厚の差が上記範囲を超えると、カレンダー処理後の積層シート５２は、柔らかさが劣り、上記範囲未満であると、滑らかさが劣る場合がある。
【００５４】
（作用効果）
本実施形態の製造方法は、巻取ロールを形成する巻取ロール形成工程において、プライ手段の下流かつ巻取ロールの上流で、積層シートに対してカレンダー処理を施すものである。本実施形態の製造方法によれば、上述した実施形態の発明の効果と同様の発明の効果に加えて、さらに以下のような発明の効果を奏し得る。
【００５５】
すなわち、上述のように、巻取ロール形成工程において紙切れや紙の皺寄りが生じないように、原反ロールと巻取ロールとの間における原紙シートや積層シートのドロー調整は、概して、原紙シートの原反ロールからの繰出速度と積層シートの巻取速度との間の速度差の調整をもって行われる。
【００５６】
これに対して、本実施形態においては、原反ロールと巻取ロールとの間であってプライ手段より下流において、積層シートに対して、カレンダー処理を行う。そのため、ドロー調整を、原反ロールとカレンダー処理部との間におけるドロー調整と、カレンダー処理部と巻取ロールとの間におけるドロー調整と、に分けて行うことができる。つまり、ドロー調整のスパンが短くなり、ドロー調整が容易になる。
【００５７】
本実施形態によれば、複数プライの衛生薄葉紙を製造するのに際して、カレンダー処理部の前後のいずれにおいても、原紙シートや積層シートに適当な張力を付与して、原紙シートや積層シートの弛みおよび紙切れを防止することができる。
【００５８】
原紙シートや積層シートのドロー調整のための速度差の制御は、積層シートの巻取速度Ｖｗ÷原紙シートの繰出速度Ｖｕ×１００（％）、積層シートの巻取速度Ｖｗ÷積層シートのカレンダー処理速度Ｖｃ×１００（％）、および積層シートのカレンダー処理速度Ｖｃ÷原紙シートの操出速度Ｖｕ×１００（％）のいずれもが、１００％以上１１０％以下となるようにすることが好ましく、１０１％以上１０８％以下となるようにすることがより好ましい。原紙シートの繰出速度Ｖｕ、積層シートのカレンダー処理速度Ｖｃ、および積層シートの巻取速度Ｖｗの速度差を、上記関係を満たす範囲内とすることにより、巻取ロールを形成する工程において、原紙シートや積層シートに適度な張力を掛けることができる。これらの速度差が１００％未満であると、原紙シートや積層シートに十分な張力を掛けることができず、原紙シートや積層シートの弛みや皺寄りに繋がる。また、これらの速度差が１１０％を超えると、原紙シートや積層シートに過剰な張力による断紙が生じやすくなる。
【００５９】
なお、上記の例において、カレンダー処理部は１つであり、カレンダー装置は１台であり、カレンダーロール対は１対である。しかしながら、本発明の実施形態はこれに限定されず、カレンダー処理部、カレンダー装置、カレンダーロール対の数は、それぞれ、単数であっても複数であってもよい。したがって、本発明の実施形態は、多段カレンダー処理を行う態様にも適用可能である。多段カレンダー処理を行う場合においては、先段の線圧と比べて後段の線圧を高くすることが好ましい。
【００６０】
（第４の実施形態）
次に、本発明の第４の実施形態について説明する。特段の記載のない限り、上述の実施形態に適用可能な構成は、本実施形態に適用可能である。
【００６１】
第４の実施形態は、第３の実施形態において、さらに、カレンダー処理速度Ｖｃと積層シートの巻取速度Ｖｗとの間の速度差を、原反ロールから原紙シートを繰り出す繰出速度Ｖｕとカレンダー処理速度Ｖｃとの間の速度差よりも小さくするものである。
【００６２】
（作用効果）
本実施形態の製造方法によれば、上述した実施形態の発明の効果と同様の発明の効果に加えて、さらに以下のような発明の効果を奏し得る。
【００６３】
すなわち、本実施形態によれば、カレンダー処理部の上流において、カレンダー処理部の下流と比べて、ドロー調整のための速度差が相対的に大きくなる。そのため、カレンダー処理部の上流において、原紙シートや積層シートに適当な張力を付与して原紙シートや積層シートの弛みを防止し、また、カレンダー処理部の下流において、積層シートに過大な張力が付与されないようにして、積層シートの皺寄りおよび紙切れを防止することができる。
【００６４】
（発明の適用）
本発明は、マルチプライのトイレットペーパー、ペーパータオル、キッチンペーパー、ティシュペーパーのような複数の薄葉紙を重ね合わせた構成を有する衛生薄葉紙の製造に適用可能である。本発明は、トイレットロールおよびペーパータオルロールのようなロール状の衛生薄葉紙製品、および箱入りまたは袋入りのティシュペーパー、キッチンペーパーのような紙束状の衛生薄葉紙製品のいずれの製造にも適用可能である。
【００６５】
本発明は、複数の原反ロールのそれぞれから繰り出された複数の薄葉紙を重合ローラに巻き掛けつつ巻き取って巻取ロールを形成する工程を含むものであり、上述した実施形態は、図１に示されるプライ機を用いて説明した。しかしながら、本発明の実施形態は、これに限定されず、複数の原反ロールからシートを繰り出し、繰り出されたシートを重ね合わせつつ再度ロール状に巻き取る工程を伴う任意の装置およびシステムに対して適用可能である。
【００６６】
本発明を適用可能な装置の例として、本実施形態で挙げた、複数の原反ロールから、次工程のための二次原反ロールとなる複数プライの巻取ロールを形成するプライ機の他、複数の原反ロールから、ロール状の衛生薄葉紙製品を製造する用途に用いることのできる複数プライのログを形成するための加工ワインダが挙げられる。また、本発明の実施形態は、複数プライの巻取ロール（二次原反ロール）から積層シートを繰り出し、シートを１枚ずつ取り出せるように折り畳みながら積み重ねるインターフォルダとも称されるシート折り畳み装置を通して、束状の衛生薄葉紙製品を製造する製造システムにも適用可能である。
【００６７】
上述の第３および第４の実施形態において、１対のカレンダーロール対を用いたカレンダー処理を示したが、本実施形態はこれに限定されず、２以上のカレンダーロール対による２以上の多段カレンダー処理を行う態様にも適用可能である。
【符号の説明】
【００６８】
１  プライ機
３１、３１ａ、３１ｂ  原紙シート
３６、３６ａ、３６ｂ  原反ロール
５１  重合ローラ（プライ手段）
５２  積層シート
５３  カレンダーロール（トップロール）
５４  カレンダーロール（ボトムロール）
５５  スリッターパート
５６  リールドラム
５８  巻取ロール
Ｖｕ、Ｖｕａ、Ｖｕｂ  操出速度
Ｖｗ  巻取速度
【要約】
【課題】断紙や皺寄りが抑制された衛生薄葉紙の製造方法の提供。
【解決手段】原紙シートが巻き取られた複数の原反ロールのそれぞれから原紙シートを繰り出し、当該複数の原紙シートをプライ手段により重ね合わせて積層シートを形成し、当該積層シートを巻き取って、巻取ロールを形成する工程を含み、原反ロールからプライ手段までの原紙シートの繰り出し長さが長い程、原反ロールから原紙シートを繰り出す繰出速度を遅くする、衛生薄葉紙の製造方法。
【選択図】図１【図１】
0006835282.tif 000002